(57)【要約】【課題】発光むらの低減が可能で、狭角配光にも対応できる照明装置を提供する。【解決手段】照明装置10は、光源12、導光体14、集光器15およびレンズ16を備える。導光体14は、光軸方向に沿って入射面27および出射面28を有し、入射面27に入射する光源12からの光を導光して出射面28から出射させる。集光器15は、導光体14の光軸方向に沿って移動可能に設ける。レンズ16は、導光体14の出射面28および集光器15に対向する。【選択図】図１
2016062693.tif 000002
【特許請求の範囲】
【請求項１】
光源と；
光軸方向に沿って入射面および出射面を有し、前記入射面に入射する前記光源からの光を導光して前記出射面から出射させる導光体と；
前記導光体の光軸方向に沿って移動可能に設けられた集光器と；
前記導光体の前記出射面および前記集光器に対向するレンズと；
を具備することを特徴とする照明装置。
【請求項２】
前記導光体の光軸方向の長さは前記集光器の光軸方向の長さより長く、
前記集光器は前記導光体の前記出射面よりも前記光源側に移動可能とする
ことを特徴とする請求項１記載の照明装置。
【発明の詳細な説明】
【技術分野】
【０００１】
本発明の実施形態は、光源の光をレンズで照射する照明装置に関する。
【背景技術】
【０００２】
従来、例えばスタジオや舞台等で使用されるスポットライト等の照明装置では、高い照度、色むらの少ない配光特性、および狭角配光性能が求められている。
【０００３】
照明装置では、光源の光をレンズによって照射対象に照射するように構成されている。さらに、光源の光を効率よくレンズに入射させるために、光源の前方に集光器を配置する場合がある。
【０００４】
しかしながら、従来の照明装置の構成では、光源に色むらや輝度むらなどの発光むらがある場合、レンズで照射する照射光にも発光むらが発生してしまう。
【０００５】
また、スポットライトの場合、光源またはレンズの光軸方向への移動によって照射角を狭角から広角まで調整するが、照射対象に対してスポットライトの設置場所が遠い場合に狭角配光性能が求められる。狭角配光性能は、光源の大きさに依存するため、効率向上のために光源の前方に集光器が配置されている場合には、狭角配光に対応することが難しいことがある。
【先行技術文献】
【特許文献】
【０００６】
【特許文献１】特開２０１２−８９３９４号公報
【発明の概要】
【発明が解決しようとする課題】
【０００７】
本発明が解決しようとする課題は、発光むらの低減が可能で、狭角配光にも対応できる照明装置を提供することである。
【課題を解決するための手段】
【０００８】
実施形態の照明装置は、光源、導光体、集光器およびレンズを備える。導光体は、光軸方向に沿って入射面および出射面を有し、入射面に入射する光源からの光を導光して出射面から出射させる。集光器は、導光体の光軸方向に沿って移動可能に設ける。レンズは、導光体の出射面および集光器に対向する。
【発明の効果】
【０００９】
本発明によれば、発光むらの低減が可能で、狭角配光にも対応することが期待できる。
【図面の簡単な説明】
【００１０】
【図１】一実施形態を示す照明装置の説明図である。
【図２】同上照明装置の狭角配光とする説明図である。
【発明を実施するための形態】
【００１１】
以下、一実施形態を、図１および図２を参照して説明する。
【００１２】
図１および図２に、照明装置10として、例えばスタジオや舞台等で使用されるスポットライトを示す。照明装置10は、筐体11を備えているとともに、筐体11内に配置される光源12、放熱器13、導光体14、集光器15およびレンズ16を備えている。
【００１３】
そして、筐体11は、筒状に形成され、前面に光を投光する開口部20が形成されている。筐体11の後部側に放熱器13が配置され、この筐体11の後部側には放熱器13に空気を流通させるために複数の通気孔が形成されている。
【００１４】
また、光源12は、基板23、およびこの基板23に実装された発光素子24を備えている。例えば、光源12は、基板23に発光素子24としての複数のＬＥＤが実装され、蛍光体を含有した蛍光体層で複数のＬＥＤを封止するＣＯＢ（Chip On Board）モジュールで構成されている。または、パッケージ内にＬＥＤを収納して蛍光体を含有した蛍光体層で封止した複数のＳＭＤ（Surface Mount Device）パッケージを円形状に集合配置して構成されている。なお、ＣＯＢまたはＳＭＤのいずれも原色チップである例えばＲＧＢチップを用いて透明の封止部材（または蛍光体層）によって封止されている形態でもよい。あるいは、ＬＥＤに限らず、有機ＥＬ（Electro Luminescence）等の他の発光素子を用いてもよい。そして、ＣＯＢモジュールの場合、発光面12aは直径１０〜５０ｍｍ程度に形成されている。複数のＳＭＤパッケージの場合にも、直径１０〜５０ｍｍ程度の範囲に複数のＳＭＤパッケージが配置される。そして、光源12の中心（発光面12aの中心）に垂直な方向が光軸ｚである。
【００１５】
また、放熱器13は、前面に光源12を取り付け、光源12が発生する熱を放熱する。
【００１６】
また、導光体14は、ガラスや透明樹脂によって、柱状に形成されている。柱状としては、本実施形態では円柱状であるが、多角柱状でもよい。導光体14の一端面に入射面27が形成され、他端面に出射面28が形成されている。導光体14の中心軸が光軸ｚに沿って配置され、入射面27が光源12に対向され、出射面28がレンズ16に対向されている。
【００１７】
導光体14の径は、光源12が発する光が入射面27に効率よく入射するように、発光面12aと同径か、発光面12aよりわずかに大きい径に形成されている。また、導光体14の光軸方向の長さは、集光器15の光軸方向の長さよりも長くなっている。
【００１８】
また、集光器15は、導光体14が挿通可能とする円筒状に形成されている。集光器15は、後端側から前端側に向けて径が大きくなるように形成されている。集光器15の内面には、導光体14の出射面28から出射される光をレンズ16に向けて反射させる反射面が形成されている。
【００１９】
集光器15は、筐体11に配置される集光器移動機構31によって光軸方向に移動する。集光器移動機構31は、モータを駆動源としてもよいし、手動で操作するようにしてもよい。最も狭角配光とする以外の配光の場合には、図１に示すように、集光器15が導光体14の出射面28から前方のレンズ16側に配置される。一方、最も狭角配光とする場合には、図２に示すように、集光器15が導光体14の出射面28よりも後方の光源12側に配置される。
【００２０】
また、レンズ16は、導光体14の出射面28から出射される光および集光器15で反射する光を入射し、筐体11の開口部20から前方へ照射する。レンズ16は、凸レンズ、フレネルレンズ等が用いられる。
【００２１】
レンズ16は、筐体11に配置されるレンズ移動機構32によって光軸方向に移動する。レンズ移動機構32は、モータを駆動源としてもよいし、手動で操作してもよい。照射角を狭角とする場合はレンズ16を前方に移動させ、照射角を広角とする場合にはレンズ16を後方に移動させる。
【００２２】
そして、図１には、照明装置10において、最も狭角配光とする以外の配光の状態を示す。集光器15は導光体14の出射面28から前方のレンズ16側に配置される。なお、図１および図２のｓは照明装置10が照射する照射光の径を示す。
【００２３】
光源12が発する光は、入射面27から導光体14内に入射し、導光体14内で反射を繰り返しながら出射面28に導光し、出射面28から出射する。出射面28から光軸方向に出射する光はレンズ16に直接入射し、出射面28から光軸方向に対して広がる方向に出射される光は集光器15で反射してレンズ16に入射する。レンズ16に入射した光は、レンズ16によって集光して筐体11の開口部20から照射する。
【００２４】
光源12に色むらや輝度むら等の発光むらがある場合でも、光源12の光が導光体14内を導光される間に混光されるため、導光体14の出射面28から出射される光には発光むらの影響が低減される。
【００２５】
また、集光器15が導光体14の出射面28から前方のレンズ16側に配置されているため、導光体14の出射面28から出射する光を効率よくレンズ16に入射させることができ、照明装置10は高い照度を得ることができる。
【００２６】
レンズ移動機構34によってレンズ16の位置を光軸方向に沿って移動させることにより、照射角を狭角から広角の範囲で調整することができる。
【００２７】
図１に示す状態では、光軸方向（レンズ16側）から見た見かけ上の発光径は、導光体14の出射面28の径よりも大きい集光器15の前端の径となる。このように、発光径が大きいと、レンズ16を最も前進させ、狭角配光とした場合でも、希望する狭角配光よりも大きく、より小さい狭角配光としたい場合がある。このような場合には、図２に示すように、最も狭角配光とすることで対応できる。
【００２８】
次に、図２には、照明装置10において、最も狭角配光とする状態を示す。集光器移動機構31により、集光器15を導光体14の出射面28よりも後方の光源12側に移動させる。そのため、導光体14の出射面28が集光器15よりもレンズ16側に突出する。
【００２９】
光源12が発する光は、入射面27から導光体14内に入射し、導光体14内で反射を繰り返しながら出射面28に導光し、出射面28から出射する。出射面28から光軸方向に出射する光はレンズ16に直接入射し、出射面28から光軸方向に対して広がる方向に出射される光は筐体11内に拡散される。レンズ16に入射した光は、レンズ16によって集光して筐体11の開口部20から照射する。
【００３０】
光源12に色むらや輝度むら等の発光むらがある場合でも、光源12の光が導光体14内を導光される間に混光されるため、導光体14の出射面28から出射される光には発光むらの影響が低減される。
【００３１】
図２に示す状態では、光軸方向（レンズ16側）から見た見かけ上の発光径は、導光体14の出射面28の径となり、図１に示す集光器15の前端の径の場合よりも小さくなる。したがって、光源12の光がレンズ16に入射する効率は低下するが、発光径を小さくできることにより、図１の状態よりも、より狭角配光とすることができる。
【００３２】
本実施形態の照明装置10によれば、発光むらの低減が可能で、しかも、狭角配光にも対応することができる。
【００３３】
また、導光体14の光軸方向の長さを集光器15の光軸方向の長さより長くしているため、集光器15は導光体14の出射面28よりも光源12側に移動させることが可能となり、狭角配光を実現することができる。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
10    照明装置
12    光源
14    導光体
15    集光器
16    レンズ
27    入射面
28    出射面
【図１】
2016062693.tif 000003
【図２】
2016062693.tif 000004